Podtech/llm-jp-corpus-v4-ja_patent huggingface dataset:
(57)【要約】      （修正有）【課題】太陽光発電パネルを三角柱に組み立て立体構造とし、３面の内１面を太陽に向けて地上と平行に設置し、残り２面の発電パネルにも太陽光が当たるように反射鏡を設置する事で狭い設置面積で発電量を増やす省スペース太陽光発電装置を提供する。【解決手段】太陽光発電装置は３面１、２、２ａで発電出来るように発電パネルを三角柱に組む。その１面を太陽３に向けて地上と平行となる様に設置し、残り２面にも太陽光が当たる様に両側に反射鏡４を置く。そして両側の反射鏡に影を射さない様に太陽軌道に沿うように設置すれば効率良く３面で発電できる。三角柱に組むことで立体構造となり設置面積を小さく出来るので設置面積当三角柱に組むことで立体構造となり設置面積を小さく出来るので設置面積当り発電量が増える。また、多角柱立体構造でも少ない面積で設置面積当り発電量を増やす事が出来る。【選択図】図１
0003162902.tif 000002
【実用新案登録請求の範囲】
【請求項１】
太陽光発電パネルを使い三角柱を作り、１面を地上と並行に置いて太陽に向け、他２面には反射鏡を用いて太陽光を当て全３面で太陽光発電をする省スペース型太陽光発電装置。
【請求項２】
太陽光発電パネルを使い多角柱を作り、反射鏡を用いて多面で太陽光発電をする特徴を持つ請求項１に記載した省スペース型太陽光発電装置。
【考案の詳細な説明】
【技術分野】
【０００１】  本考案は、狭い設置面積で発電量を増やす省スペース太陽光発電装置に関する。
【背景技術】
【０００２】  従来の太陽光発電装置は受光パネル部に反射板を使い太陽光を当てているが受光パネル部は平面であり設置面積は狭く出来ない。また、ジャバラ式にした太陽光発電装置は反射鏡を使わず、その上太陽光の入射角度が悪くなり面積当たりの発電量が小さくなるのが一般的である。
出願番号  特開２００７−１５０２２０
出願番号  特開２００５−２９４７８７
【考案の開示】
【考案が解決しようとする課題】
【０００３】  しかしながら、発電量を増やす為には設置面積が広くなる欠点があった。
【課題を解決するための手段】
【０００４】  本考案は、太陽光発電パネルを三角柱に組み立て立体構造とし、３面の内１面を太陽に向けて地上と平行に設置し、残り２面の発電パネルにも太陽光が当たるように反射鏡を設置する事で上記課題を解決するものである。
【考案の効果】
【０００５】  本考案に係わる太陽光発電装置は３面で発電出来るように発電パネルを三角柱に組む。その１面を太陽に向けて地上と平行となる様に設置し、残り２面にも太陽光が当たる様に両側に反射鏡を置く。そして両側の反射鏡に影を射さない様に太陽軌道に沿うように設置すれば効率良く３面で発電できる。三角柱に組むことで立体構造となり設置面積を小さく出来るので設置面積当三角柱に組むことで立体構造となり設置面積を小さく出来るので設置面積当り発電量が増える。また、多角柱立体構造でも少ない面積で設置面積当り発電量を増やす事が出来る。屋根とか携帯電話、など多方面で利用できる。
【考案を実施するための最良の形態】
【０００６】  図１に示されるように、三角柱に組み立てた太陽光発電パネル上面１を地上６と平行に設置し、反射角度５を考慮し両側面太陽光発電パネル２、２ａに太陽光３が当たるように反射鏡４を設置する。【０００７】  図２に示されるように、太陽光発電パネル１、２、２ａと反射鏡４を並べる事で発電量を増やせる。【０００８】  図３に示されるように、太陽７の軌道８と太陽光発電パネル１方向Ａ−Ｂを同方向に設置する事で反射鏡４に影が出来ない。
【図面の簡単な説明】
【０００９】
【図１】側面図である。
【図２】平面図である。
【図３】太陽軌道と太陽光発電パネルの方向を示した図である。
【符号の説明】
【００１０】１・・・・三角柱太陽光発電パネルの上面
２、２ａ・・三角柱太陽光発電パネルの側面
３・・・・太陽光
４・・・・反射鏡
５・・・・反射角度
６・・・・地上
７・・・・太陽
８・・・・太陽軌道
Ａ、Ｂ・・・太陽光発電パネルの方向
【図１】
0003162902.tif 000003
【図２】
0003162902.tif 000004
【図３】
0003162902.tif 000005
(57)【要約】      （修正有）【課題】歯をみがくための、従来の方法では奥歯のすき間にみがき残しができてしまうので、その届きづらい場所を簡単に掃除できる歯ブラシを提供する。【解決手段】親指と人指し指の先に輪を入れその間にブラシの付いた棒を通し、これ全体を口の中に入れ・歯の間に差し込み上下左右に動かし歯を磨く。指と一体になっているのでブラッシングがしやすく、歯を順番にできるからやり残しがない。【選択図】図２
0003156601.tif 000002
【実用新案登録請求の範囲】
【請求項１】
人指し指と親指をのばし、指先に両方入るようにまるい枠をつくりこの二つを安定させるためのアークでつなげ、その間に歯間にはさまるような細いブラシをまっすぐつなげ、これを口の中に差し込んで歯と歯の間に指の腹でさぐりながらブラシをはさみ入れ、上下左右に動かし、歯を掃除しながらマッサージもする歯ブラシ。
【考案の詳細な説明】
【技術分野】
【０００１】  本考案は人間の口腔内において、食物を食べた後、歯の間にこまかくなった食べ物が残ってしまい発酵するので、その歯と歯の間を掃除するための衛生用品に関する物（歯ブラシ）
【背景技術】
【０００２】  歯を掃除するために汚れをかき出すには、従来の歯ブラシのように奥までブラシを入れていた。ブラシの長さや幅を変えてやってみて、次にブラシの毛の先端の形を細くしたり球形をつけたりした、まだうまくいかないので次は、歯間へ糸を入れるようになった、しかし・口の奥なので手の感覚が伝わりづらい不便である。
【考案の概要】
【考案が解決しようとする課題】
【０００３】○力の入れ具合によっては歯ぐきをきづつける。
○歯間へ入れることが厄介である。
○掃除するために指の力が伝わりづらい。
○毎日続けるためには簡巣は方法が必要である。
【解決するための手段】
【０００４】指に輪をとおして、人指し指と親指を使い図のような器具を口の中に入れ、歯と歯の間にブラシ部分を差し入れ、上下左右に動かし掃除する。
【考案の効果】
【０００５】○完全に歯の間がきれいになる。
○指と一体になっているのでブラッシングがしやすい。
○歯を順番にできるからやり残しがない。
○指で歯の感覚がわかる。
【実施するための最良の形態】
【０００６】○指を入れる輪の形を親指と人指し指に合う形にする。
○相手が歯ぐきだから材質は固いものではないほうがいい。
○歯のすき間に上から入れるわけだから、あまり厚いか太いのでは入りずらい。
○携帯用のケースに入れいつでも使えるようにする。
【図面の簡単な説明】
【０００７】
【図１】  指に装着した全体図
【図２】  歯をきれいにしている全体図
【図３】  この器具の全体図
【図１】
0003156601.tif 000003
【図２】
0003156601.tif 000004
【図３】
0003156601.tif 000005
【手続補正書】
【提出日】平成21年8月6日(2009.8.6)
【手続補正１】
【補正対象書類名】実用新案登録請求の範囲
【補正対象項目名】全文
【補正方法】変更
【補正の内容】
【実用新案登録請求の範囲】
【請求項１】
人指し指と親指をのばし、指先に両方入るようにまるい枠をつくり、この二つを安定させるためのアークでつなげ、その間に歯間にはさまるような細いブラシをまっすぐにつなげ、これを口の中に差し込んで歯と歯の間に指の腹でさぐりながらブラシをはさみ入れ、上下左右に動かし、歯を掃除しながらマッサージもする歯ブラシ。
【手続補正書】
【提出日】平成21年10月13日(2009.10.13)
【手続補正１】
【補正対象書類名】実用新案登録請求の範囲
【補正対象項目名】全文
【補正方法】変更
【補正の内容】
【実用新案登録請求の範囲】
【請求項１】
細いブラシの両端に丸い枠を接続し、細いブラシと丸い枠との接続部間につながれたアークを備える歯ブラシ。
(57)【要約】【課題】  不正侵入を防止させる忍び返しに、鉢植え等の設置部位を設けることで、別の目的である植栽等を楽しむことができ、かつ簡単に忍び返しを設置可能であり、商品の付加価値を高め、購買意欲を喚起することができるプランター付忍び返しを提供する。【解決手段】忍び返しに取り付け用部位と突先を鋭利にした尖鋭部位のほか、鉢植え等の設置部位を持たせる。【選択図】図１
0003156605.tif 000002
【実用新案登録請求の範囲】
【請求項１】
忍び返しに、取り付け用部位と突先を鋭利にした尖鋭部位のほか、鉢植え等の設置部位を持たせ植栽等を可能にしたことを特徴とする構造。
【請求項２】
前記構造を持たせることで、ネジ止め等無しにフェンス、壁、塀、樋、門扉等の設置部位に忍び返しを固定可能にしたことを特徴とする構造。
【考案の詳細な説明】
【技術分野】
【０００１】  本考案は、不正侵入を防止する、フェンス、壁、塀、樋、門扉等に設置する忍び返しを鉢植え等で飾ることができるようにしたものである。
【背景技術】
【０００２】  従来から、フェンス、壁、塀、樋、門扉等から侵入者や猫、イタチなどの小動物の侵入を防ぐための器具として、忍び返しが知られており、この忍び返しは、取り付け用部位と突先を鋭利にした尖鋭部位からなり、物理的防御、威嚇、抑止効果を得る。【０００３】  一方、近年の犯罪情勢から、より機能性、防犯性が高く、需要者の購買欲を喚起させる色々な意匠や工夫を施すことが重要になってきている。
【考案の開示】
【考案が解決しようとする課題】
【０００４】  しかしながら、従来の忍び返しは、取り付け用部位の設置方法か突先の形状に工夫を施すか、その両方の構造が提案されているのみで、需要者の購買欲を喚起させるに至らない。【０００５】  また、突先を鋭利にすることで、物理的防御、威嚇、抑止効果を得ているものの、それ以外に、より侵入者の心理を考慮した構造にはなっていない。
【課題を解決するための手段】
【０００６】  本考案は、取り付け用部位と突先を鋭利にした尖鋭部位のほか、鉢植え等の設置部位を持たせたことを特徴とする忍び返しである。
【考案の効果】
【０００７】  本考案の特徴によれば、忍び返しを利用して、不正な侵入を防止することとは別の目的である鉢植え等を設置可能にしたことで、商品の付加価値を高め、購買意欲を喚起することができる。【０００８】  鉢植え等の設置部位へ草、花等を植栽可能とすることで、忍び返しに緑という心に癒しを与えることができ、侵入者の心理に訴え、抑止効果を高める。【０００９】  フェンス、壁、塀、樋、門扉等の上部へ突先を鋭利にした尖鋭部位を設けるだけでなく、壁面に鉢植え等の設置部位があることで、壁面に尖鋭部位を設けた忍び返しに比べ、より安全に不正な侵入を困難にし、物理的防御を高める。【００１０】  従来の忍び返しは、ずれや不正な取り外しを防ぐために、設置時に忍び返しをフェンス、壁、塀、樋、門扉等の上部へネジ等で固定しなければならなかったが、鉢植え等の設置部位を設けることで、適度な重みがかかり、簡単に取れることは無く、かつ設置は容易に行うことができる。
【考案を実施するための最良の形態】
【００１１】  以下、本考案の鉢植え等の設置部位を持たせたことを特徴とする忍び返し構造を最良の形態について図面に示す実施例に基づいて具体的に説明する。【００１２】  図１は取り付け用部位と突先を鋭利にした尖鋭部位に加え、鉢植え等の設置部位を持たせた本考案の斜視図である。図２は、断面図。塀の上部へ、突先を鋭利にした尖鋭部位の付いた取り付け用部位を設置する。取り付け用部位の下に塀側面に沿わせた形で鉢植え等の設置部位を設ける。【００１３】  図３は、使用の例を、ブロック塀に利用しているところを示したが、本考案は、取り付け用部位、突先を鋭利にした尖鋭部位、鉢植え等の設置部位のそれぞれの、形状、大きさ、デザイン、取り付け方法を変化させ、多くのバリエーションを作ることにより、ブロック塀にとどまらず、その他の塀や、フェンス、樋、門扉等にも利用することが可能で、この説明・手順に限定されるものではない。
【図面の簡単な説明】
【００１４】
【図１】  本考案の斜視図である。
【図２】  本考案の断面図である。
【図３】  本考案の使用例を示した透視図である。
【符号の説明】  １    忍び返し取り付け用部位
２    突先を鋭利にした尖鋭部位
３    鉢植え等の設置部位
【図１】
0003156605.tif 000003
【図２】
0003156605.tif 000004
【図３】
0003156605.tif 000005
【手続補正書】
【提出日】平成21年10月2日(2009.10.2)
【手続補正１】
【補正対象書類名】実用新案登録請求の範囲
【補正対象項目名】全文
【補正方法】変更
【補正の内容】
【実用新案登録請求の範囲】
【請求項１】
忍び返しに、取り付け用部位と突先を鋭利にした尖鋭部位のほか、鉢植えの設置部位を持たせ植栽を可能にしたことを特徴とする忍び返し。
(57)【要約】      （修正有）【課題】電気駆動による騒音、大気汚染の対策、バッテリー駆動による移動、設置場所の自由度を大幅に改善できるバッテリー駆動電動ウインチを提供する。【解決手段】直流バッテリーを電源とし、電圧調整機にて、直流モーターを駆動するシステムを有する。【選択図】図２
0003156603.tif 000002
【実用新案登録請求の範囲】
【請求項１】
直流電動モーター駆動であること
【請求項２】
直流バッテリー駆動であること
【考案の詳細な説明】
【技術分野】
【０００１】この考案は滑走牽引遊具に関するものである
【背景技術】
【０００２】従来滑走遊具ウインチとして内燃機動力を利用しており、騒音、排気ガスによる大気汚染の問題があった、また電動動力に関しても、既存家庭用交流１００ボルト電源、または動力交流２００ボルト電源と、今回のバッテリー駆動による、場所の制限、騒音、環境問題の対策になる商品は初めてである。
【考案の概要】
【考案が解決しようとする課題】
【０００３】従来滑走遊具ウインチとして内燃機動力を利用しており、騒音、排気ガスによる大気汚染の問題があった、また電動動力に関しても、既存家庭用交流１００ボルト電源、または動力交流２００ボルト電源と場所の制限もあった
【課題を解決するための手段】
【０００４】直流バッテリー１を使用しコントローラー２での速度調整をスロットル３で行いモーター４を駆動し、ドライブチェーン、又はドライブベルト５を使用し、巻き取りドラム６を回転させ、牽引ロープを巻き取る
【考案の効果】
【０００５】電気駆動による騒音、大気汚染の対策、バッテリー駆動による移動、設置場所の自由度を大幅に改善できる
【図面の簡単な説明】
【０００６】
【図１】「部品構成を示した平面図である。」
【図２】「組み立て構成を示した平面図である」
【符号の説明】
【０００７】１直流バッテリー
２コントローラー
３スロットル
４モーター
５ドライブチェーン、又はドライブベルト
６巻き取りドラム
７巻き取りドラム支持アーム
８牽引ロープ
【図２】
0003156603.tif 000003
【図１】
0003156603.tif 000004
【手続補正書】
【提出日】平成21年7月24日(2009.7.24)
【手続補正１】
【補正対象書類名】実用新案登録請求の範囲
【補正対象項目名】全文
【補正方法】変更
【補正の内容】
【実用新案登録請求の範囲】
【請求項１】
直流バッテリーを電源とし、電圧調整機にて、直流モーターを駆動するシステムを有する、陸上、水上、雪上、氷上の滑走遊具牽引バッテリー駆動電動ウインチ
(57)【要約】      （修正有）【課題】シャワーからの意図せぬ吐水を防止する、シャワーヘッドケースおよびカバーを提供する。【解決手段】シャワーヘッドに覆うように被せて、たとえ湯水の出口の切り替えコックがシャワーになっていても、シャワーの吐水を止めて弱め、シャワーの湯水を浴びることのないようにする。【選択図】図１
0003156604.tif 000002
【実用新案登録請求の範囲】
【請求項１】
風呂場の壁のシャワーのフックに掛かっている、シャワーのヘッドに覆うように被せて、シャワーの吐水の勢いを止めたり弱めたりする、ケースやカバー。
【考案の詳細な説明】
【技術分野】
【０００１】  この考案は、風呂場のシャワーの付属品に関するものである。
【背景技術】
【０００２】  風呂場のシャワーは、カランと一体型になっているものが多く、切り替えコックによって、湯水の出口がシャワーかカランかが決まる。しかし、その切り替えコックがシャワーかカランかのどちらを指しているのかが、小さくて一目では見分けにくい。
【特許文献】特許公開  平０７−１２７８７４公報
【考案の開示】
【考案が解決しようとする課題】
【０００３】  風呂場の掃除の時に、シャワーと一体型になっているカランから湯水を出すつもりで蛇口をひねると、シャワーから湯水が出てきて、頭や衣服が濡れることがよくある。そんなシャワーの意図せぬ吐水を防止したい。
【課題を解決するための手段】
【０００４】  ケースやカバーをシャワーヘッドに覆うように被せて、シャワーの吐水を止めて弱め、意図せぬシャワーの吐水を浴びることのないような、シャワーヘッドに被せるケースやカバーを作る。
【考案の効果】
【０００５】  シャワーヘッドに覆うように被せられたケースやカバーにより、シャワーの吐水が止められて弱められ、湯水の出口の切り替えコックが運悪くシャワーになっている時にカランから湯水を出すつもりで蛇口をひねっても、シャワーから湯水が出てきて驚いたり、特に風呂場の掃除の時に頭や衣服が濡れることがなくなる。
【考案を実施するための最良の形態】
【０００６】  図１のように、シャワーヘッド１のフォルムに沿って、シャワーヘッドの周りに適当な空間を設けるようにポリプロピレンなどの合成樹脂でケース３を作る。また、ポリエチレンやポリエステルなどからできた耐水性の合成繊維で、ケースと同じような形状のカバー３を作る。【０００７】  前記ヘッドケースやヘッドカバー３の最上部に適度な大きさの持ち手５を形成し、そこにフック４に掛けるための穴を開けておく。そして、ケースやカバーを掛けるフック４をシャワーの近くに付けておくと便利である。【０００８】  具体的には、シャワーヘッドのカーブのフォルムによってケースやカバーの寸法は違ってくるが、シャワーヘッドにほぼピッタリのケースやカバーの形状として、図２のように横巾２２が約６ｃｍ、奥行き２３が約６ｃｍ、全体の長さ２６が約１８ｃｍのもの。【０００９】  また、シャワーヘッドのカーブのフォルムにかかわらず、一般に流通しているシャワーヘッドに被せられるケースやカバーとして、図３のように寸法に余裕を持たせ、横巾３２が約８ｃｍ、奥行き３３が約１０ｃｍ、全体の長さ３６が約１８ｃｍのもの。
この場合は、シャワーヘッドケースあるいはカバーの上面に新たな部分３７を設けるデザインにしている。【００１０】  さらに、ケースやカバー上部にある、持ち手兼フックに掛けるための穴３５の向きは、正面向きでもよいし、側面向きでもよい。【００１１】  ケースやカバーは、人の皮膚に触れても人がケガをしないように、肌に優しい形状になるように細心の注意を払う。ケースやカバーの長さは、シャワーヘッドの最上部からシャワーのフックぐらいまでを覆うような長さが適当である。【００１２】  合成樹脂でケースを作る場合は、シャワーヘッドや水流が透けて見える透明のものがよいだろう。また色や柄や形のデザインを工夫したものやキャラクターもののケースやカバーも、風呂場の雰囲気を楽しいものにするだろう。
【図面の簡単な説明】
【００１３】
【図１】  本考案の実施時の斜視図である。
【図２】  シャワーヘッドにほぼピッタリの形状の、本考案の斜視図。
【図３】  一般に流通しているシャワーヘッドに対応する、本考案の斜視図。
【符号の説明】
【００１４】    １  シャワーヘッド
２  シャワーのフック
３  シャワーヘッドケースあるいはカバー
４  シャワーヘッドケースを掛けるフック
５  シャワーヘッドケースの持ち手兼フックに掛けるための穴
６  シャワーのホース
２１  シャワーヘッドケースあるいはカバー
２２  横巾
２３  奥行き
２５  持ち手兼フックに掛けるための穴
２６  全体の長さ
３１  シャワーヘッドケースあるいはカバー
３２  横巾
３３  奥行き
３５  持ち手兼フックに掛けるための穴
３６  全体の長さ
３７  シャワーヘッドケースあるいはカバーの上面部分
【図１】
0003156604.tif 000003
【図２】
0003156604.tif 000004
【図３】
0003156604.tif 000005
【手続補正書】
【提出日】平成21年10月8日(2009.10.8)
【手続補正１】
【補正対象書類名】実用新案登録請求の範囲
【補正対象項目名】全文
【補正方法】変更
【補正の内容】
【実用新案登録請求の範囲】
【請求項１】
風呂場の壁のシャワーのフックに掛かっている、シャワーのヘッドに覆うように被せて、シャワーの吐水の勢いを止めたり弱めたりする、ケース。
【請求項２】
風呂場の壁のシャワーのフックに掛かっている、シャワーのヘッドに覆うように被せて、シャワーの吐水の勢いを止めたり弱めたりする、カバー。
(57)【要約】      （修正有）【課題】墓参時に火の付いた線香束を持ち運ぶ時、炎が発生する事及び燃部分の露呈させたまま持ち運ぶ事による事故を防止する容器を提供する。【解決手段】筒状容器の内部に耐火皮膜を取り付け、線香束の燃焼部を逆さにして容器内に収め、外部との接触及び炎の立ち上がるのを防ぐことにより、火災予防および燃焼による事故防止に役立つ。底に小石を敷き外部に熱が出ない様にした。尚、底より約１〜２センチ上にパンチングメタル（穴開き金属板）又はメッシュ（金網）を取り付け火が消えないようにし、底を取り付ける事により炎が出ない様にすることを特徴とする。【選択図】図１
0003156607.tif 000002
【実用新案登録請求の範囲】
【請求項１】
着火済み線香束を筒状容器に入れ．水桶に掛けられるよう取手をつけることを特徴とすの着火済み線香持ち運び容器。
【請求項２】
容器内側面部及び容器内底面部に耐火被膜を貼り付け．断熱材として外部への熱の伝わりを防ぐ特徴とする着火済み線香持ち運び容器。
【請求項３】
容器内底面部より約１〜２センチ上に耐火性パンチングメタル又は耐火性メッシュを取り付け線香束の燃焼部分の受けとし．線香束の火が消える事及び炎を抑制する及び線香束の火が消える事を防ぐ為．耐火性のパンチングメタル又は耐火性メッシュの取り付け位置より下部の円筒部分に１０ミリ以下の穴を１ケ所又は２ケ所開け通気口〃開け炎を抑制する事を特徴とする着火済み線香持ち運び容器。
【考案の詳細な説明】
【技術分野】
【０００１】本考案は、墓参時に用いる火の着いた線香束を持ち運ぶ容器に関するものである。
【背景技術】
【０００２】墓参時に、生花や水桶及び沢山のお参りの人々や子供等の間を火の付いた線香束を持ち運ぶ。（火災予防及び衣服の焼け焦げ等の防止）
【先行技術文献】
【特許文献】
【特許文献１】
【非特許文献】
【非特許文献１】
【考案の概要】
【考案が解決しようとする課題】
【０００３】しかしながら、以上の技術によれば、生花や水桶などにより両手が塞がった状態で、更に火の付いた線香束を持ち運ぶのは非常に困難であり、尚風に吹かれ、炎で第三者に被害を与え、火災予防上危険である。
そこでこの考案は、火の付いた線香束を水桶に掛けて、尚火災予防及び第三者に被害をあたえないため線香入れを提供する事を課題とする。
【課題を解決するための手段】
【０００４】以上の課題を解決する為に．第一考案は，水桶に掛けて持ち運べるように長い取手が付いており、内側に耐火皮膜を貼り、底に小石を敷き外部に熱が出ない様にした。尚、底より約１〜２センチ上にパンチングメタル（穴開き金属板）又はメッシュ（金網）を取り付け火が消えないようにし、底を取り付ける事により炎が出ない様にすることを特徴とする線香桶である。
特開２００６−０００６０７
との違い。熱が外部に伝わらない。及び、底がある為炎が上がらない。
【図面の簡単な説明】
【０００５】
【図１】本考案の着火済み線香束持ち運び容器の断面図である。
【図２】本考案の着火済み線香束持ち運び容器の姿図である。
【符号の説明】
【０００６】１  取手
２  円筒形金属製容器（金属は、鉄、ステンレス、非鉄金属等）
３  耐火皮膜
４  パンチングメタル（穴開き金属板）又はメッシュ（金網）
【図１】
0003156607.tif 000003
【図２】
0003156607.tif 000004
【手続補正書】
【提出日】平成21年9月4日(2009.9.4)
【手続補正１】
【補正対象書類名】実用新案登録請求の範囲
【補正対象項目名】全文
【補正方法】変更
【補正の内容】
【実用新案登録請求の範囲】
【請求項１】
着火済み線香束を筒状容器に入れ，水桶に掛けられるよう取手をつけることを特徴とする着火済み線香持ち運び容器。
【請求項２】
容器内側面部及び容器内底面部に耐火被覆膜を貼り付け、断熱材として外部にへの熱の伝わりを防ぐ特徴とする、請求項１記載の着火済み線香持ち運び容器。
【請求項３】
容器内底面部より約１〜２センチ上に耐火性パンチングメタル又は耐火性メッシュを取り付け線香束の燃焼部分の受けとし、線香束の火が消える事及び炎を抑制する及び線香束の火が消える事を防ぐ為、耐火性のパンチングメタル又は耐火性メッシュの取り付け位置より下部の円筒部分に１０ミリ位下の穴を１ケ所又は２ケ所開け通気口を開け炎を抑制する事を特徴とする、請求項１又は２記載の着火ずみ線香持運び容器。
(57)【要約】      （修正有）【課題】必要とするボビンがどこにあるかが一目瞭然で、ボビン単体を容易に掴むことができ、ボビンの収納、取り出しが容易にできるボビン整理収納箱を提供する。【解決手段】収納箱１内部に仕切り３を設け、ゴムパッキン等の弾性体６を用いて、ボビン２を収納箱底１と仕切り側３へ押し付けることにより、安定して保持され、着脱も容易に行なうことができる。またボビン２を作業者が持ちやすいように縦仕切り４でボビンの間隔を指１本分確保する。また保管中に糸が緩まないよう、ボビン２に巻きつけた糸を外周部からスポンジ５で軽く当てるようにする。【選択図】図２
0003156611.tif 000002
【実用新案登録請求の範囲】
【請求項１】
収納されたボビンの円周部分を収納箱の底面と仕切り板側面に当て、ゴムパッキン等の弾性体を用いて、ボビンをその両面へ押し付けることにより保持させる構造を持ち、収納されたボビン側面側は指１本分ほどの隙間を空けて配列することにより、使用者がボビンを掴みやすくしたボビン収納箱
【請求項２】
収納されたボビンの糸部分をスポンジ状の物で軽く触れる程度に当てることで、糸の巻き緩みを防止する構造を持つボビン収納箱。
【考案の詳細な説明】
【技術分野】
【０００１】  本考案は、縫製用ミシンのボビンを、整理、保管、収納する箱に関するものである。
【背景技術】
【０００２】  ミシンを使用する際、糸替えの度にボビンも交換するが、ボビンをただ並べて保管するだけの収納では、着脱が不便で、時間を費やし、使いづらい。
また、収納中に、巻きつけてある糸が緩み、使用する際には、緩んだ糸を再び巻き直してから使用しなければならない。
【先行技術文献】
【特許文献】
【０００３】
【特許文献１】実用新案公開平６−８１４８７
【特許文献２】実用新案公開平７−１２０７８
【特許文献３】実用新案公開平７−１６７８３
【特許文献４】登録実用新案第３０２２１２６号
【考案の概要】
【考案が解決しようとする課題】
【０００４】▲１▼必要とするボビンがどこにあるかが一目瞭然で、ボビン単体を容易に掴むことがで      き、ボビンの収納、取り出しが容易にできること。
▲２▼保管中に糸が巻き緩まないようにすること。
【課題を解決するための手段】
【０００５】▲１▼本考案は、ボビンの円周部分を収納箱の底面と仕切り板側面に当て、ゴムパッキン      等の弾性体を用いて、ボビンをその両面へ押し付けることにより保持させる。これ      によりボビンは円周上を３点で保持され、収納中も常に安定して保持され続ける。      着脱の際にもゴムパッキンの弾力性により、容易に取り出し、及び装着ができる。      ［図２］
また本考案における構造上、ボビンを並べて配置した場合、全ての糸部分が目視で      きる為、使用者は求めるボビンを容易に探すことができる。［図１］ボビンを並べ      て配列するにあたり、ボビン側面側は指１本分ほどの隙間を空けて並べることで、      使用者が掴みやすくなり、着脱が楽にできる。［図３］
▲２▼巻き付けた糸の部分をスポンジ状の物で軽く触れる程度に当てることで、糸の巻き      緩みを阻止することができる。［図３］
【考案の効果】
【０００６】上述の様に、ミシン使用者がボビンを容易に整理収納できることで、糸交換作業の時間短縮、負担軽減をすることができる。
また現状では、ボビンを一つの箱に無造作に入れている場合も多く、緩んだ糸同士が箱の中で絡み合い、さらに使いづらくさせている。時にはボビン自体が何処かに紛失してしまうこともある為、これらの問題を解消することにつながる。
整理され、見栄え良く並べられることで、美観的改善効果も期待できる。
【図面の簡単な説明】
【０００７】
【図１】収納箱の全体を示す鳥瞰図である
【図２】本考案でのボビン保持方法を示す側面図である
【図３】ボビンの掴み易さと、糸の巻き緩み防止方法を示す断面図である
【考案を実施するための形態】
【０００８】箱の内部を、約１０ｍｍ角の部材で、ボビンの厚みよりやや大きめの間隔を空けて縦に仕切る。仕切りの間にはボビン巻き取り部の幅ほどのスポンジを貼り付ける。薄板等でボビンの直径よりやや大きめの間隔で横方向に仕切りを設ける。横に仕切られた板の片面にゴムパッキンを貼り付ける。
【符号の説明】
【０００９】１  収納箱本体
２  ボビン
３  横仕切り板
４  縦仕切り
５  スポンジ
６  ゴムパッキン
７  使用者の指
【図１】
0003156611.tif 000003
【図２】
0003156611.tif 000004
【図３】
0003156611.tif 000005
【手続補正書】
【提出日】平成21年9月24日(2009.9.24)
【手続補正１】
【補正対象書類名】実用新案登録請求の範囲
【補正対象項目名】請求項２
【補正方法】変更
【補正の内容】
【請求項２】
収納されたボビンの糸部分をスポンジ状の物で軽く触れる程度に当てることで、糸の巻き緩み防止構造を特徴とする請求項1記載のボビン収納箱。
【手続補正書】
【提出日】平成21年10月28日(2009.10.28)
【手続補正１】
【補正対象書類名】実用新案登録請求の範囲
【補正対象項目名】請求項２
【補正方法】変更
【補正の内容】
【請求項２】
収納されたボビンの糸部分をスポンジ状の物で軽く触れる程度に当てることで、糸の巻き緩み防止構造を持つことを特徴とする請求項1記載のボビン収納箱。
(57)【要約】      （修正有）【課題】散歩中にしたペットの糞を簡単で衛生的に回収し、また、回収したペットの糞の悪臭を極力抑えるペットの糞回収箱を提供する。【解決手段】裁断した厚紙を素材として、１つが観音開きで上扉６と下扉７を持つ三角柱の箱を作り、箱の内部にフィルム付着やアクリル塗料の塗布などの防水加工を施す。また、上扉６の場所に両面テープ１を取り付ける。こうして完成させた糞回収箱を、ペットの散歩時に携帯することで糞を簡単で衛生的に回収梱包でき、糞の悪臭も極力抑えることができるようにしてペットの糞回収箱を構成する。【選択図】図２
0003156620.tif 000002
【実用新案登録請求の範囲】
【請求項１】
図１のように裁断した厚さ４００ｇ／ｍ２程度の厚紙を素材として、図２のような側面の１つが観音開きで上扉６と下扉７を持つ三角柱の箱を作り、箱の内部にフィルム付着やアクリル塗料の塗布などの防水加工を施す、また、図１に示す上扉６の場所に両面テープ１を取り付ける。こうして完成させた箱をペットの糞回収箱とする。
【考案の詳細な説明】
【技術分野】
【０００１】  本考案は、厚紙で組み立てたペットの糞回収箱に関するものである。
【背景技術】
【０００２】  従来、散歩中のペットの糞の処理は、鋏やシャベル等を使用して回収するとその道具を清掃する必要が生じ、ビニール袋を利用して直接手で掴む方法も不快で不衛生なものだった。また、ビニール袋等に回収した糞は悪臭も出やすかった。
【考案の概要】
【考案が解決しようとする課題】
【０００３】  散歩中にしたペットの糞を、簡単で衛生的に回収する。また、回収したペットの糞の悪臭を極力抑えたい。
【課題を解決するための手段】
【０００４】  上記課題を解決するために糞回収箱の素材には、厚さ４００ｇ／ｍ２程度の厚紙を使用する。図１のように裁断した厚紙を使い、折り目線８を折り、接着面ａと接着面ｂそして接着面ｃと接着面ｄを其々接着させ、図２のような側面の１つが観音開きで上扉６と下扉７を持つ三角柱の箱を作る。また、箱の内部にはフィルム付着やアクリル塗料の塗布などの防水加工を施し、図１に示す上扉６の部分に両面テープ１を取り付け完成させる。完成したこの箱をペットの糞回収箱として使用し、散歩中にしたペットの糞を回収する。
【考案の効果】
【０００５】  上述のペットの糞回収箱を使用することで、散歩中のペットの飼い主は、鋏やシャベル等の道具を持ち歩く必要や、糞をビニール袋越しに持つ必要がなくなり、簡単で衛生的にペットの糞を回収することができる。また、糞は内部を防水加工した厚紙で作られた箱に梱包される為、糞から漂う悪臭も抑えやすい。
【図面の簡単な説明】
【０００６】
【図１】ペットの糞回収箱の組み立て前の上からの平面図
【図２】ペットの糞回収箱の組み立て後の斜め前からの外観図
【図３】ペットの糞回収箱の糞回収前の形態
【図４】ペットの糞回収箱の糞取り入れ中の形態１
【図５】ペットの糞回収箱の糞取り入れ中の形態２
【図６】ペットの糞回収箱の糞梱包後の形態
【考案を実施するための形態】
【０００７】  ペットの糞回収箱は、図２で示すように上扉６と下扉７が開いている状態で、ペットとの散歩時に携帯する。また、上扉６に付いている両面テープ１には剥離紙が付いている状態になっている。
【実施例】
【０００８】  以下、添付図３〜６に従って実施例を説明する。まず、ペットの糞回収箱の両面テープ１の剥離紙を外してから、図３のように上扉６を上にした状態で持ち、糞９に下扉７の先端を接触させる。次に、図４のように上扉６を下げ糞９をペットの糞回収箱の中に押し込む。次に、図５のように下扉７が最下部にくるようペットの糞回収箱を回転させると、上扉６と下扉７が両面テープにより接着され、図６のように糞９はペットの糞回収箱の中に梱包される。
【符号の説明】
【０００９】  １  両面テープ
２  接着面ａ
３  接着面ｂ
４  接着面ｃ
５  接着面ｄ
６  上扉
７  下扉
８  折り目線
９  糞
【図１】
0003156620.tif 000003
【図２】
0003156620.tif 000004
【図３】
0003156620.tif 000005
【図４】
0003156620.tif 000006
【図５】
0003156620.tif 000007
【図６】
0003156620.tif 000008
【手続補正書】
【提出日】平成21年10月14日(2009.10.14)
【手続補正１】
【補正対象書類名】実用新案登録請求の範囲
【補正対象項目名】全文
【補正方法】変更
【補正の内容】
【実用新案登録請求の範囲】
【請求項１】
防水加工を施した厚紙で組んだ正三角柱の箱の一側面を入口部とし、表面に両面テープ（１）を付けた上扉（６）と下扉（７）とからなる二枚の開閉扉を入口部に取り付けたペットの糞回収箱。
(57)【要約】      （修正有）【課題】的落しとして競技する、特に力の弱い子供のための放水競技手動ポンプを提供する。【解決手段】従来の縫い糸をたこ糸に変え、ゴムパッキンをビー玉とプラスチック板に変えた。穴の中筒に右親指でおさえ上に引きあげると、ビー玉とプラスチック板が、上にあがり、その時点で、親指を離し、中筒を下降させると、自動的に中筒の穴より水がとび出す。【選択図】図２
0003156612.tif 000002
【実用新案登録請求の範囲】
【請求項１】
外筒の底に、ビー玉を飲料水の、キャップを、２個合せビー玉が水圧とともに、上に、あがらない様、防ぐことを特徴とした  放水競技手動ポンプ
【考案の詳細な説明】
【技術分野】
【０００１】本考案は的落しと放水競技等手動ポンプに関するものである．
【背景技術】
【０００２】的落しとして、競技する、特に、力の弱い子供のために、考案したものである．
【先行技術文献】
【特許文献】
【０００３】
【特許文献１】実開昭６０−１３１９６号公板
【考案の概要】
【考案が解決しようとする課題】
【０００４】以前は、縫い針の、糸を使用．時間が立つと、すぐ切れのでたこ糸に、変えました．布も、やわらかい、物を、使用しています．
水を吸い上る部分は、以前は、ゴム、パッキンで、現在は、ビー玉と、プラスチックの板を使用しています
【課題を解決するための手段】
【０００５】縫い針の糸を、たこ糸に変えた事、ビー玉と、プラスチックの板に変えた事、その内容は、中筒の穴に右親指でおさえ、上に引き上ると、ビー玉も＆プラスチック板に、水圧が加わり、上昇した時点で、親指を離し、中筒を、下降するとともにビー玉＆プラスチックが、吸い上る、水圧を穴でふさぐ、そこで初めて、中筒の穴から、水が飛び出ます．
【考案の効果】
【０００６】改良の結果、作りが、簡単化、大量に作れて、将来多数の子供たちに、傳承し、現物を、あげたい
【図面の簡単な説明】
【０００７】
【図１】全体概念図    １
【図２】全体概念図    ２
【図３】使用状態を表した図
【図１】
0003156612.tif 000003
【図２】
0003156612.tif 000004
【図３】
0003156612.tif 000005
【手続補正書】
【提出日】平成21年10月14日(2009.10.14)
【手続補正１】
【補正対象書類名】実用新案登録請求の範囲
【補正対象項目名】全文
【補正方法】変更
【補正の内容】
【実用新案登録請求の範囲】
【請求項１】
手動ポンプにおいて外筒としてプラスチックパイプを用い、中筒は竹で構成し外筒の底にキャップ２個を合わせ、その中にビー玉を入れて外筒に固定接着し、中筒の下部を布で巻き、たこ糸で固定した中筒を外筒の中に入れたところを特徴とする手動ポンプ。
【手続補正２】
【補正対象書類名】明細書
【補正対象項目名】０００７
【補正方法】変更
【補正の内容】
【０００７】
【図１】全体概念図    １
【図２】使用状態を表した図
【手続補正３】
【補正対象書類名】図面
【補正対象項目名】全図
【補正方法】変更
【補正の内容】
【図１】
0003156612.tif 000006
【図２】
0003156612.tif 000007
(57)【要約】      （修正有）【課題】ブラッシング箇所の形状に沿って無駄なく、まんべんにブラッシングが出来るペット用ブラシを提供する。【解決手段】ペット用ゴムブラシ１の毛２が、ブラシ台３平面に対してグリップ４側にその中心が来るよう円弧状に配列５された複数の毛２の根元で隣接して山切り状の谷間部となるよう円錐状に形成し、更にこの円錐状の先端がブラシ台３平面から使用方向に対して４５°から８０°の角度の範囲になるよう形成したことで解決する。【選択図】図１
0003156647.tif 000002
【実用新案登録請求の範囲】
【請求項１】
ペット用ゴムブラシ（１）の毛（２）が、ブラシ台（３）平面に対してグリップ（４）側にその中心が来るよう円弧状に配列（５）された複数の毛（２）の根元（６）で隣接して山切り状の谷間部（７）となるよう円錐状に形成し、更にこの円錐状の先端（８）がブラシ台（３）平面から使用方向（９）に対して４５°から８０°の角度（１０）の範囲になるよう形成したことを特徴とするペット用ゴムブラシ（１）。
【請求項２】
ブラシ台（３）に脱着可能なようにブラシ台取り付け巻き込み部（１１）を設けたことを特徴とする請求項１に記載のペット用ゴムブラシ（１）。
【考案の詳細な説明】
【技術分野】
【０００１】  本考案は、肌に優しく、ブラッシングの際の抜け毛対策が出来、効率の良いペット用ゴムブラシに関する。
【背景技術】
【０００２】  従来、ペット用ブラシとしてスリッカーブラシやマッサージブラシ等が知られている。【０００３】  スリッカーブラシは、ブラシ台に金属製の毛が埴毛されており、ブラッシングにおいて無駄毛を取り除いていた。【０００４】  マッサージブラシは、金属製のみならず、ゴム製の毛のものが多数提案されている。
【考案の概要】
【考案が解決しようとする課題】
【０００５】  しかしながら、スリッカーブラシは金属製の毛が植毛されており、肌に当たらないように無駄毛を取り除いているつもりでも、ペットの地肌をひっかくこととなり、その結果肌を傷つけることが多かった。【０００６】  又、これらスリッカーブラシやゴム製のマッサージブラシの毛はブラシ台から垂直に埴毛されているため、ペットの体に当てる角度によっては、力の込め加減が難しいという欠点があった。【０００７】  従来のペット用ブラシの毛は直線的に埴毛、成型にて配列されているため、ペットの体に沿った際、ブラシ面全体が体に沿ってまんべんなくブラッシング出来ない欠点があった。
【問題点を解決するための手段】
【０００８】  ペット用ゴムブラシ（１）の毛（２）が、ブラシ台（３）平面に対してグリップ（４）側にその中心が来るよう円弧状に配列（５）された複数の毛（２）の根元（６）で隣接して山切り状の谷間部（７）となるよう円錐状に形成し、更にこの円錐状の先端（８）がブラシ台（３）平面から使用方向（９）に対して４５°から８０°の角度（１０）の範囲になるよう形成したことを特徴とする。
【０００９】  ブラシ台（３）に脱着可能なようにブラシ台取り付け巻き込み部（１１）を設けたことを特徴とする。
【考案の効果】
【００１０】  本考案のペット用ゴムブラシにおいては、ブラシの毛がグリップ側にその中心が来るよう円弧状に配列されているため、素材のゴムの柔らかさと相まってブラッシング箇所の形状に沿って無駄なく、まんべんにブラッシングが出来るものとなる。
【００１１】  又、これらブラシの毛の根元で隣接して山切り状の谷間部となるよう円錐状に形成されているため、ブラッシングを行えば行う程、取れた無駄毛がこの谷間部に押し込まれて集積されるため、取り落としの無い優れたものとなる。
【００１２】  更にブラシの毛自体がブラシ台から４５°から８０°の角度の範囲に形成されているため、少ない力で効率よくブラッシング出来るものとなる。
【図面の簡単な説明】
【００１３】
【図１】本考案の一実施例を示す斜視図である。
【図２】本考案の一実施例を示す斜視図である。
【図３】本考案の一実施例を示す斜視図である。
【考案を実施するための形態】
【００１４】  本考案におけるペット用ゴムブラシの大きさ、デザイン、材質、製造方法等は特に限定されることはないが、耐消耗性、取り扱い易さ等からブラシ台やグリップとは別にブラシ台に脱着可能なようにブラシ台取り付け巻き込み部を設けたものが好ましい。
以下、実施例と図に基づき説明する。
【実施例】
【００１５】  以下、本考案の一実施例を図１、図２及び図３で説明するが、これによって本考案はなんら限定されるものではない。【００１６】  図１は本考案の一実施例を示し、ペット用ゴムブラシ（１）の毛（２）が、ブラシ台（３）平面に対して引っかけ穴（１２）が設けられたグリップ（４）側にその中心が来るよう複数個、円弧状に配列（５）されている。【００１７】  図２は本考案の一実施例を示し、円錐状の先端（８）がブラシ台（３）平面から使用方向（９）に対して７５°の角度（１０）となるようペット用ゴムブラシ（１）の毛（２）が形成されている。【００１８】  更に、ブラシ台（３）にブラシの毛（２）が脱着可能なようにブラシ台取り付け巻き込み部（１１）を設けている。【００１９】  図３は本考案の図１のものを別の側面から見た斜視図である。ペット用ゴムブラシ（１）の毛（２）の根元（６）で複数の毛（２）が隣接して山切り状の谷間部（７）となるよう円錐状に形成した様子を示している。
【産業上の利用の可能性】
【００２０】  ブラシの毛が円弧状に配列されているため、ブラッシング箇所の形状に沿いブラッシングが出来るペット用ゴムブラシとなる。
【００２１】  ブラシの毛が隣接して山切り状の谷間となる円錐状に形成されているため、取れた無駄毛が、この谷間にブラッシングの際に徐々に押し込まれて集積し、取り落としがほとんど無いペット用ゴムブラシとなる。
【００２２】  更に、ブラシの毛自体がブラシ台から見て４５°から８０°の角度の範囲内に形成されているため、ブラッシング方向に少ない力で効率良くブラッシング出来るペット用ゴムブラシとなる。
【符号の説明】
【００２３】  １  ペット用ゴムブラシ    ２  毛    ３  ブラシ台
４  グリップ    ５  円弧状に配列    ６  根元
７  山切り状の谷間部    ８  先端    ９  使用方向
１０  角度    １１  ブラシ台取り付け巻き込み部
１２  引っかけ穴
【図１】
0003156647.tif 000003
【図２】
0003156647.tif 000004
【図３】
0003156647.tif 000005
(57)【要約】【課題】簡単に魚を移動でき、容器を格納した箱を開いた状態に据え置くことで、インテリア置物にもなる観賞魚携帯型容器を提供する。【解決手段】内部へ装脱可能な水槽を格納した箱の両側に、携帯のためのひもを設けて開閉可能にし、該箱内に鏡又は、文字や絵を施し、ＬＥＤ電装を施したことを特徴とする観賞魚携帯型容器。【選択図】図１
0003156649.tif 000002
【実用新案登録請求の範囲】
【請求項１】
内部へ装脱可能な水槽を格納した箱の両側に、携帯のためのひもを設けて開閉可能にし、該箱内に鏡又は、文字や絵を施し、ＬＥＤ電装を施したことを特徴とする観賞魚携帯型容器。
【考案の詳細な説明】
【技術分野】
【０００１】本考案は、観賞魚を輸送又は、持ち運びするための携帯型容器に関するものである。
【技術背景】
【０００２】従来、観賞魚を輸送する生け簀は、移動が目的で、生け簀とその装飾品とは、各々別に利用していた。
【考案の概要】
【考案が解決しようとする課題】
【０００３】簡単に魚を持ち運びでき、容器を格納した箱を開いた状態に据え置くことで、インテリア置物にもなる容器。
【課題を解決するための手段】
【０００４】内部へ装脱可能な水槽を格納した箱の両側に、携帯のためのひもを設けて開閉可能にし、該箱内に鏡又は、文字や絵を施し、ＬＥＤ電装を施したことを特徴とする観賞魚携帯型容器。
【考案の効果】
【０００５】簡単に魚や水草を持ち運びでき、箱を開いた状態に据え置くことで、卓上でインテリア置物になり、観賞用水槽になる。
【図面の簡単な説明】
【０００６】
【図１】本考案の使用状態を示す斜視図
【図２】本考案の斜視図
【図３】本考案の箱を閉じた状態における横断面図
【考案を実施するための最良の形態】
【０００７】箱（１）にひも（２）を設ける。開閉可能にするボタン（３）を設ける。
箱（１）の中に水槽（４）を固定し、フタ（５）をする。鏡（６）は、箱（１）の中に施し、固定紙（７）も箱の中に施す。
フタ（５）には、ＬＥＤ電装（８）を設ける。
【符号の説明】
【０００８】１．箱
２．ひも
３．ボタン
４．水槽
５．フタ
６．鏡
７．固定紙
８．ＬＥＤ電装
【図１】
0003156649.tif 000003
【図２】
0003156649.tif 000004
【図３】
0003156649.tif 000005
(57)【要約】      （修正有）【課題】成型時に廃棄物がでず、リサイクルが可能な肌洗い用具を提供する。【解決手段】弾性を有する熱可塑性のエラストマーを希望する形状に成型し、表面に刃状体で溝をもうける。【選択図】図３
0003156654.tif 000002
【実用新案登録請求の範囲】
【請求項１】
弾性を有する熱可塑性エラストマーを成型し、その表面に刃状体により多数の溝をもうけた肌洗い用の用具
【考案の詳細な説明】
【技術分野】
【０００１】この考案は顔および体の皮膚の洗浄用に使用する用具に関する。
【背景技術】
【０００２】従来の洗浄用具には天然ゴムを発泡させたものや、合成ゴムを発泡させたものがある。
【考案の開示】
【考案が解決しようとする課題】
【０００３】天然ゴムを発泡させたり、合成ゴムを発泡させたものは、成型時に表面に皮状のものができ、この皮状のものを切削により切り落として発泡させた気泡の面を露出させて使用している。これにより外側の皮状のものが廃棄物となる。
【課題を解決するための手段】
【０００４】［図１］の弾性を有する熱可塑性エラストマーを成型して、形状をつくり、［図２］のように刃状体により、表面に［図３］のように多数の溝をあける。
【考案の効果】
【０００５】最初から［図１］のような、希望する形状を成型によって作成できるので、切削によって出る廃棄物がなくなる。また表面に刃状体で多数の溝をあけるので気泡を露出させた天然ゴム、合成ゴムに近い表面を作り出すことができる。
【実施例】
【０００６】［図２］のように刃状体を熱可塑性エラストマーに圧力をかけて、溝をあけることもできるし、刃状体に熱をかけることにより、熱可塑性エラストマーをとかして溝をあけることもできる。
【産業上の利用可能性】
【０００７】天然ゴムを発泡させたものや、合成ゴムを発泡させたものと違い、廃棄物が出ない。
また熱可塑性エラストマーでできているので熱で溶融することによりリサイクルが可能となる。
【図面の簡単な説明】
【０００８】
【図１】成型された熱可塑性エラストマー
【図２】刃状体で成型された熱可塑性エラストマーに溝をもうける
【図３】本考案の表面に溝をもうけた熱可塑性エラストマーで成型された肌洗い用具
【図１】
0003156654.tif 000003
【図２】
0003156654.tif 000004
【図３】
0003156654.tif 000005
(57)【要約】      （修正有）【課題】洗浄した保存袋・コップ等の内側全体に外気を当て、水切り・乾燥を行う用具を提供する。【解決手段】耐水物質で螺旋円錐台形をした下部４，５と、やや鋭角な螺施円錐台形の上部２，３を一体で形成して水切り・乾燥を行う用具を構成する。使用に当たっては、洗浄した保存袋の開口部を下にして、本体１に被せ、該保存袋の底が該螺施円錐台形の上部２に達するまで引き下げる。該保存袋の開口部を該螺旋円錐台形の下部４で全開させ、保存袋等の水切り・乾燥をおこなう。【選択図】図１
0003156624.tif 000002
【実用新案登録請求の範囲】
【請求項１】
（１）  耐水物質で螺旋円錐台形をした下部と、やや鋭角な螺旋円錐台形の上部を一体で形成する。
（２）  （１）項の用具に洗浄した保存袋・コップ等を被せ水切り・乾燥を行う。
【考案の詳細な説明】
【技術分野】
【０００１】  洗浄した保存袋・コップ等を本考案品に被せこれらの内側全体に外気を当て、「水切り・乾燥を行う用具」に関するものである。
【背景技術】
【０００２】  家庭等において洗浄した保存袋・コップ等の水切り・乾燥を行う手段は、保存袋の底部をピンチで挟み吊り下げたり、コップ等は棒状の器物に被せるかであった。
【考案の概要】
【考案が解決しようとする課題】
【０００３】  従来の技術では、洗浄した保存袋の内側が水分で密着することが多く、保存袋の内側に付着した水分を完全に排出し乾燥させるのに可成りの時間を必要とした。
本考案は、これらの不具合を解決した。
【課題を解決するための手段】
【０００４】  洗浄した保存袋の開口部を大きく開けて内側が密着しないようにし、かつ保存袋・コップ等の内側に外気が入るようにすれればよい。
【考案の効果】
【０００５】  １  本考案品全体の使用は寸法が異なる保存袋の水切り・乾燥に適し、また本考案品上部だけの使用はコップ等の水切り・乾燥に適している。
２  逆さまにした保存袋の開口部を大きく開く構造なので保存袋の内側全体に外気が入り、比較的短時間で水切り・乾燥が行われる。
３  使用法は、洗浄した保存袋・コップ等を本考案品に被せるだけなので極めて簡単である。
４  水切り・乾燥後の保存袋・コップ等は、清潔さを回復して再使用できる。
５  螺旋円錐台形の底部を流し台等の水平面に据え置く形状なので、使用時にぐらつかない。
６  構造が螺旋状なので本体が汚れたとき清掃し易く、清潔さを保持でき常時衛生的に使用できる。
【図面の簡単な説明】
【０００６】
【図１】  本考案の正面・側面図
【図２】  本考案の平面図
【符号の説明】  ［図１］〜［図２］の
１  は本考案の本体
２  はやや鋭角な螺旋円錐台形補強形態の頂部
３  はやや鋭角な螺旋円錐台形部でコップ等を被せる仕掛け
４  は螺旋円錐形台部で保存袋の開口部を大きく開かせる仕掛け
５  は螺旋円錐台形の底部
【考案を実施するための形態】
【０００７】  本考案の水切り・乾燥用具本体の底部を流し台等の水平面に据え置く。
【実施例】
【０００８】  以下、添付図面に従って実施例を説明する。
１  は対水物質で形成された本体。
２  はやや鋭角な螺旋円錐台形補強形態の頂部
３  はやや鋭角な螺旋円錐台形をした本体の上部。
４  は螺旋円錐台形をした本体の下部。
５  は螺旋円錐台形の底部【０００９】    ３  は洗浄が済んだコップ等を被せる形態部。
４  は洗浄が済んだ保存袋の開口部を大きく開かせる形態部。
【符号の説明】
【００１０】    １  は本考案の本体
２  はやや鋭角な螺旋円錐台形補強形態の頂部
３  はやや鋭角な螺旋円錐台形部
４  は螺旋円錐台形部
５  は螺旋円錐台形の底部
【図１】
0003156624.tif 000003
【図２】
0003156624.tif 000004
【手続補正書】
【提出日】平成21年10月9日(2009.10.9)
【手続補正１】
【補正対象書類名】実用新案登録請求の範囲
【補正対象項目名】全文
【補正方法】変更
【補正の内容】
【実用新案登録請求の範囲】
【請求項１】
耐水物質で螺旋円錐台形をした下部と、やや鋭角な螺旋円錐台形の上部を一体で形成した水切り・乾燥を行う用具。